(57)【特許請求の範囲】
【請求項１】
透液性の表面シートと、不透液性の裏面シートと、前記表面シートと前記裏面シートとの間に介装される吸収体と、からなり、
前記表面シートが内側となるように折り曲げられた状態で包装されるペット用吸収性シートにおいて、
前記表面シートと前記吸収体との間には、ホットメルト型接着剤により接着された接着部が備えられ、
前記接着部は、予め設定された折り位置に沿って当該折り位置に重なるように、前記折り位置の折り方向に間欠した帯状に設けられていることを特徴とするペット用吸収性シート。
【請求項２】
前記接着部は格子状に設けられていることを特徴とする請求項１に記載のペット用吸収性シート。
【発明の詳細な説明】
【技術分野】
【０００１】
本発明は、ペット用吸収性シートに関する。
【背景技術】
【０００２】
従来、犬、猫等のペットが排泄した尿等を吸収するためのペット用吸収性シートが普及している。
一般的に、ペット用吸収性シートは、透液性の表面シートと、不透液性の裏面シートと、表面シートと裏面シートとの間に介装される吸収体とを備え、包装時には、表面シートを内側として折り曲げられた状態とされる。折り曲げられた状態で包装されたペット用吸収性シートは、使用時において展開され、平面状態とされてペット用トイレの床面などに敷いて使用される。
【０００３】
このようなペット用吸収性シートとしては、表面シートと吸収体との間を接着しない構成のものや、表面シートと吸収体との間を全面接着した構成のものなどが知られている。
このうち、表面シートと吸収体との間を接着しない構成の場合、表面シートと吸収体との間に空間ができるため表面シートから吸収体への水分の移行がスムーズにいかず、一方、表面シートと吸収体との間を全面接着した構成の場合、表面シートと吸収体との間に塗布した接着剤が膜となり水分の吸収が阻害されるため、何れにしても吸収性能の悪化を招くという問題があった。
また、上記以外にも、表面シート上から熱エンボスにより圧着する方法も知られているが、かかる方法では、溶融によって繊維やメッシュの穴を潰してしまうため、圧着部分の吸収性が阻害されると共に、かかる方法を実施するための大規模な設備改造が必要となるなどの問題があった。
【０００４】
そこで、例えば、特許文献１には、ホットメルト型接着剤を曲線を含む複数本の連続線（スパイラル線など）で塗布する技術が提案されている。かかる技術によれば、接着剤を塗布したとしても、当該接着剤により表面シートの全ての液透過孔が塞がれることがないため、接着剤をベタ塗りした場合と比較して、表面シートから吸収体に向けて水分を透過しやすくすることができる。
【先行技術文献】
【特許文献】
【０００５】
【特許文献１】特許第４５７０４８１号公報
【発明の概要】
【発明が解決しようとする課題】
【０００６】
しかしながら、上記特許文献１のペット用吸収性シートは、接着剤をベタ塗りした場合と比較して吸収性能が改善されたものではあるが、吸収体の表面のほぼ全域に接着剤の連続線が塗布されるため、未だ所望の吸収性能は実現できていないものであった。
また、上述したように折り曲げられた状態で包装されたペット用吸収性シートにおいては、使用時に展開した際に表面シートの折り位置に対応する部分に皺などの凹凸ができやすく、犬などのペットは表面シートに接して排尿しないため、この表面シートの凹凸によって尿が飛び散り易いという問題があった。
【０００７】
本発明の課題は、尿の飛び散りを抑え、より吸収性能の高いペット用吸収性シートを提供することである。
【課題を解決するための手段】
【０００８】
上記課題を解決するために、請求項１に記載の発明は、
透液性の表面シートと、不透液性の裏面シートと、前記表面シートと前記裏面シートとの間に介装される吸収体と、からなり、
前記表面シートが内側となるように折り曲げられた状態で包装されるペット用吸収性シートにおいて、
前記表面シートと前記吸収体との間には、ホットメルト型接着剤により接着された接着部が備えられ、
前記接着部は、予め設定された折り位置に沿って当該折り位置に重なるように、前記折り位置の折り方向に間欠した帯状に設けられていることを特徴とする。
【００１１】
また、請求項２に記載の発明は、請求項１記載のペット用吸収性シートにおいて、
前記接着部は格子状に設けられていることを特徴とする。
【発明の効果】
【００１２】
本発明によれば、表面シートと吸収体とは帯状の接着部においてのみ接着され、接着部以外の領域において表面シートと吸収体とは密着しているので、表面シート上の水分を速やかに吸収体に移行することができる。
また、接着部は折り位置に重なるように設けられているため、折り位置にコシが出て折り曲げやすく、また、表面シートの凹凸の発生を低減できるので尿の飛び散りを抑制することができる。
また、表面シートと吸収体との間の空間に、接着部により区画された空間が形成されることで、ペット用吸収性シートの有効利用ができる。
よって、尿の飛び散りを抑え、より吸収性能の高いペット用吸収性シートとすることができる。
【図面の簡単な説明】
【００１３】
【図１】本発明の実施の形態に係るペット用吸収性シートの一例を示す平面図である。
【図２】図１のII-II線における断面図である。
【図３】図１のペット用吸収性シートを三つ折りする様子を示す図である。
【図４】変形例１に係るペット用吸収性シートの一例を示す平面図である。
【図５】変形例２に係るペット用吸収性シートの一例を示す平面図である。
【図６】変形例３に係るペット用吸収性シートの一例を示す平面図である。
【発明を実施するための形態】
【００１４】
以下、本発明の実施形態を、図面を用いて詳細に説明する。ただし、発明の範囲は、図示例に限定されない。
なお、以下の説明では、ペット用吸収性シートの一方向（長手方向）をＸ方向、Ｘ方向と直交する方向（幅方向）をＹ方向とする。また、ペット用吸収性シートの厚さ方向をＺ方向とする。
【００１５】
ペット用吸収性シート１は、例えば、図１に示すように、平面視略長方形の形状となっており、例えば、図示しないペット用トイレの床面に敷いて使用され、表面からペットにより排泄された排泄物の水分をシート内に吸収することができるものである。
【００１６】
ペット用吸収性シート１は、例えば、図２に示すように、尿などの液体を速やかに透過させる透液性の表面シート１１と、表面シート１１の裏面側に配置される裏面シート１２と、これら表面シート１１と裏面シート１２との間に介装される吸収体１３と等を備えて構成されている。
【００１７】
また、ペット用吸収性シート１は、表面シート１１が内側となるように折り曲げられた状態で包装される。このため、ペット用吸収性シート１においては、包装時に折り曲げる際の折り位置が予め設定されている。本実施形態においては、ペット用吸収性シート１を三つ折りにすることを想定し、ペット用吸収性シート１をＸ方向に凡そ三等分する位置にＹ方向に沿った２つの折り位置Ｓ１、Ｓ２が設定されていることとする。
そして、このペット用吸収性シート１においては、２つの折り位置Ｓ１、Ｓ２に沿って、当該折り位置Ｓ１、Ｓ２に重なるように２本の帯状の接着部１０１、１０２が設けられており、ペット用吸収性シート１は、接着部１０１、１０２と重なった折り位置Ｓ１、Ｓ２において、例えば、図３（ａ）、（ｂ）に示すように、三つ折りにすることが可能となっている。
【００１８】
表面シート１１は、吸収体１３の天面を覆い、更にその周縁部１１ａが吸収体１３より外側に延出する大きさに設けられている。表面シート１１は、透液性であって、有孔または無孔の不織布や、多孔性プラスチックシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
表面シート１１に多数の透孔を形成した場合には、尿等の液体がより速やかに吸収されるようになり、ドライタッチ性に優れたものとなる。
【００１９】
裏面シート１２は、吸収体１３の底面を覆い、更にその周縁部１２ａが吸収体１３より外側に延出する大きさに設けられている。そして、この吸収体１３より外側に延出している周縁部１２ａと、表面シート１１の吸収体１３より外側に延出している周縁部１１ａとがホットメルト型接着剤、ヒートシール、超音波シール等により接着されている。かかる周縁部１１ａ及び周縁部１２ａの接着は、周縁に亘って連続的であっても良く、間欠的であっても良い。
裏面シート１２は、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。また、このほかにも、マイクロデニール繊維を用いた不織布、熱や圧力をかけることで繊維の空隙を小さくすることによる防漏性強化、高吸水性樹脂または疎水性樹脂や撥水剤の塗工といった方法により、プラスチックフィルムを用いずに液不透過性としたシートも裏面シートとして用いることができる。また、裏面シート１２は、例えば、防漏シートと吸液シートを組み合わせたシートのように、その最外面が吸液性のものであってもよい。これにより、ペット用吸収性シート１同士の接合部から、万が一、尿等の液体のしみ出しがあった場合でも、少量であれば吸液シートにより吸液できるため、衛生的である。
【００２０】
吸収体１３は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。また、繊維集合体に、高吸水性樹脂（ＳＡＰ；Super Absorbent Polymer 以下「ＳＡＰ」と略す。）を組み合わせて吸収体を構成することもできる。
ＳＡＰとしては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、あるいはイソブチレンとマレイン酸との共重合体等が好適に用いられる。
さらに、消臭機能を持たせるため、消臭剤を吸収体１３に入れてもよい。消臭剤としては、例えば、活性炭や天然鉱物(例えば、ベントナイト、カオリナイト、カネマイト等)、合成無機物（ゼオライト、アモルファスシリカ等）を用いることができる。
【００２１】
吸収体１３の表面には、クレープ紙が被せられ、当該クレープ紙の表面（表面シート１１側の面）には、およそ全面に亘って所定の図柄がグラビア印刷されている。なお、かかるグラビア印刷は、上記した表面シート１１の表面又は裏面に施されることとしても良い。
グラビア印刷には、尿との接触により尿のｐＨに応じて変色するｐＨインジケーターを含有するインクを用いることが好ましい。
ｐＨインジケーターとしては、リトマス、メチルオレンジ、メチルレッド、ブロモチモールブルー、チモールブルーなどから選択される１種又は２種以上のものが挙げることができるが、特にメチルレッドとブロモチモールブルーとの混合指示薬を使用することにより、ｐＨ４．０〜９．０の酸性、中性及びアルカリ性の広い範囲の観測が可能となるため好ましい。
なお、ｐＨインジケーターを含有するインクだけでなく、排尿があったかどうかを判別するための発現性インク（初期状態では、何も印刷されていないように見えていて、排尿を検知すると印刷内容が発現するインク）や消滅インク（初期状態では印刷内容が見えていて、排尿を検知するとそれが消えるインク）を用いることとしても良い。
また、上記したような所定の図柄を設けない構成とすることも可能であるのは勿論である。
【００２２】
ここで、表面シート１１と吸収体１３との間には、ホットメルト型接着剤により接着された２つの接着部１０１、１０２が備えられている。
即ち、表面シート１１の裏面と、吸収体１３のクレープ紙の表面とは、２つの接着部１０１、１０２においてホットメルト型接着剤により接着されている。
接着部１０１、１０２は、予め設定された折り位置Ｓ１、Ｓ２に沿って当該折り位置Ｓ１、Ｓ２に重なるように帯状に設けられるものである。具体的には、接着部１０１、１０２は、折り位置Ｓ１、Ｓ２を挟んでＸ方向に所定幅を有し、当該折り位置Ｓ１、Ｓ２に沿ってＹ方向に延在するように設けられている。本実施形態においては、ペット用吸収性シート１をＸ方向に凡そ三等分する位置にＹ方向に沿った２つの折り位置Ｓ１、Ｓ２が設定されているため、ペット用吸収性シート１をＸ方向に凡そ三等分する位置にＹ方向に沿って２つの帯状の接着部１０１、１０２が設けられることとなる。
【００２３】
また、表面シート１１と吸収体１３との間の空間は、接着部１０１、１０２により３つに区画されるため、表面シート１１と吸収体１３とが非接着な状態の非接着部２０１、２０２、２０３が形成されることとなる。
非接着部２０１、２０２、２０３においては、表面シート１１と吸収体１３とが非接着な状態であるが、表面シート１１と吸収体１３とは接着部１０１、１０２において接着されているため、非接着部２０１、２０２、２０３においても表面シート１１と吸収体１３とが密着している。したがって、非接着部２０１、２０２、２０３では、表面シート１１上の水分を速やかに吸収体１３に移行させることができるようになっている。
【００２４】
なお、非接着部２０１、２０２、２０３の幅が、例えば、１４０ｍｍ〜１４５ｍｍ程度である場合、接着部１０１、１０２の幅は、例えば、２０ｍｍ程度に設定される。
また、このとき接着部１０１、１０２におけるホットメルト型接着剤の塗布量は、例えば、１０．０ｇ／ｍ２程度が好ましい。
【００２５】
次に、作用について説明する。
ペット用吸収性シート１は、２つの折り位置Ｓ１、Ｓ２にて三つ折りにすることが想定されたものである。
このペット用吸収性シート１においては、表面シート１１と吸収体１３との間に、２つの折り位置Ｓ１、Ｓ２に沿って当該折り位置Ｓ１、Ｓ２に重なるようにホットメルト型接着剤により接着された帯状の接着部１０１、１０２が備えられている。
表面シート１１と吸収体１３とは、この接着部１０１、１０２においてのみ接着され、これにより、表面シート１１と吸収体１３とが非接着な状態の非接着部２０１、２０２、２０３が形成される。
【００２６】
このようなペット用吸収性シート１は、表面シート１１と吸収体１３とが接着部１０１、１０２においてのみ接着されているため、表面シート１１と吸収体１３との間の全体に亘ってホットメルト型接着剤を塗布した場合のように、水分を吸収する際の吸収スピードが阻害されることがない。
また、表面シート１１と吸収体１３とは、接着部１０１、１０２において接着されているため、非接着部２０１、２０２、２０３においても表面シート１１と吸収体１３とが密着し、非接着部２０１、２０２、２０３においては、表面シート１１上の水分を速やかに吸収体１３に移行させることができる。
【００２７】
また、接着部１０１、１０２は予め設定された折り位置Ｓ１、Ｓ２に重なるように設けられているため、折り位置Ｓ１、Ｓ２にコシが出る。
また、表面シート１１において最も皺等の凹凸が現れやすい折り位置Ｓ１、Ｓ２に重なるように接着部１０１、１０２が設けられているため、表面シート１１に凹凸が発生しにくくなる。
【００２８】
以上のように、本実施形態によれば、透液性の表面シート１１と、不透液性の裏面シート１２と、表面シート１１と裏面シート１２との間に介装される吸収体１３と、からなり、表面シート１１が内側となるように折り曲げられた状態で包装されるペット用吸収性シート１において、表面シート１１と吸収体１３との間には、ホットメルト型接着剤により接着された接着部１０１、１０２が備えられ、接着部１０１、１０２は、予め設定された折り位置Ｓ１、Ｓ２に沿って当該折り位置Ｓ１、Ｓ２に重なるように帯状に設けられている。
このため、表面シート１１と吸収体１３とは接着部１０１、１０２においてのみ接着され、且つ非接着部２０１、２０２、２０３において表面シート１１と吸収体１３とは密着しているので、表面シート１１上の水分を速やかに吸収体に移行することができる。
また、接着部１０１、１０２は折り位置Ｓ１、Ｓ２に重なるように設けられているため、折り位置Ｓ１、Ｓ２にコシが出て、折り曲げやすくすることができる。
また、犬などのペットはペット用吸収性シート１に接して排尿しないため、表面シート１１に皺等の凹凸があった場合に当該凹凸によって尿が飛び散り易い傾向があるが、表面シート１１において最も凹凸が現れやすい折り位置Ｓ１、Ｓ２に重なるように接着部１０１、１０２が設けられているため、表面シート１１に凹凸が発生しにくくなり、尿の飛び散りを抑制することができる。
また、接着部１０１、１０２によって表面シート１１と吸収体１３との間が区画されて非接着部２０１、２０２、２０３が形成されるため、一度の排尿でペット用吸収性シート１全域に尿が拡散するのが防止されることとなり、犬などのペットは同じ場所に排尿しないという習性に鑑みて、ペット用吸収性シート１の有効利用ができる。
よって、尿の飛び散りを抑え、より吸収性能の高いペット用吸収性シートとすることができる。
【００２９】
なお、本発明は上記実施形態に限定されるものではなく、その要旨を逸脱しない範囲で適宜変更可能である。
例えば、上記実施形態においては、２つの折り位置Ｓ１、Ｓ２（２本の接着部１０１、１０２）を備える構成を例示して説明したが、折り位置（接着部）の数はこれに限定されるものではなく、適宜設定可能である。例えば、ペット用吸収性シートを二つ折り可能とするようにシート中央部に１つの折り位置を設定し、シート中央部に１本の接着部を備える構成などであっても良い。
また、ペット用吸収性シート１は、必ずしも平面視略長方形である必要はなく、例えば平面視略正方形や、円形等であっても良い。
【００３０】
（変形例１）
次に、変形例１のペット用吸収性シート１Ａについて説明する。
ペット用吸収性シート１Ａは、図４に示すように、接着部１０１Ａ、１０２Ａにおいて、ホットメルト型接着剤がスパイラル塗布されている。
スパイラル塗布とは、ホットメルト型接着剤をらせん状に塗布する手法であり、例えば幅２０ｍｍの接着部１０１Ａ、１０２Ａにおいては、幅２０ｍｍのらせんを描くようにホットメルト型接着剤の塗布が行われる。
このようにスパイラル塗布することで、一面にすきまなく塗布するベタ塗りと比較して塗布面積を少なくすることができ、非接着部２０１Ａ、２０２Ａ、２０３Ａのみならず、接着部１０１Ａ、１０２Ａの接着剤の塗布されていない部分においても、水分を吸収することが可能となる。
【００３１】
なお、接着部１０１Ａ、１０２Ａの幅が、例えば、２０ｍｍ程度に設定される場合、接着部１０１Ａ、１０２Ａにおけるホットメルト型接着剤の塗布量は、例えば、３．０ｇ／ｍ２程度が好ましい。
【００３２】
以上のように、変形例１のペット用吸収性シート１Ａによれば、ホットメルト型接着剤の塗布量を低減することができるとともに、接着部１０１Ａ、１０２Ａの接着剤の塗布されていない部分においては、水分を吸収することが可能となるため、より吸収性能の高いペット用吸収性シートとすることができる。
【００３３】
（変形例２）
次に、変形例２のペット用吸収性シート１Ｂについて説明する。
ペット用吸収性シート１Ｂは、図５に示すように、接着部１０１Ｂ、１０２Ｂにおいて、ホットメルト型接着剤は、折り位置Ｓ１、Ｓ２の折り方向（Ｙ方向）に沿って間欠した帯状に塗布されている。
即ち、接着部１０１Ｂ、１０２Ｂには、ホットメルト型接着剤がベタ塗りされた塗布領域Ｒ１と、当該接着剤が塗布されていない非塗布領域Ｒ２とが折り方向に沿って交互に設けられ、全体として、ホットメルト型接着剤が間欠した帯状に塗布された状態となっている。なお、塗布領域Ｒ１及び非塗布領域Ｒ２の寸法は、適宜設定可能である。
このように接着剤を間欠した帯状に塗布することで、ベタ塗りと比較して塗布面積を少なくすることができ、非接着部２０１Ｂ、２０２Ｂ、２０３Ｂのみならず、接着部１０１Ｂ、１０２Ｂの非塗布領域Ｒ２においても、水分を吸収することが可能となる。
また、非塗布領域Ｒ２により、非接着部２０１Ｂ、２０２Ｂ、２０３Ｂの何れかで吸収しきれない水分を、他の非接着部に速やかに移行させることができる。
【００３４】
以上のように、変形例２のペット用吸収性シート１Ｂによれば、ホットメルト型接着剤の塗布量を低減することができるとともに、接着部１０１Ｂ、１０２Ｂの非塗布領域Ｒ２においては、水分を吸収することが可能となるため、より吸収性能の高いペット用吸収性シートとすることができる。
【００３５】
（変形例３）
次に、変形例３のペット用吸収性シート１Ｃについて説明する。
ペット用吸収性シート１Ｃは、図６に示すように、折り位置Ｓ１〜Ｓ４が格子状に設定されており、これに伴って接着部１０１Ｃ〜１０４Ｃが格子状に設けられている。
具体的に、ペット用吸収性シート１Ｃには、ペット用吸収性シート１ＣをＸ方向に凡そ三等分する位置にＹ方向に沿って２本の平行な折り位置Ｓ１、Ｓ２が設定され、ペット用吸収性シート１ＣをＹ方向に凡そ三等分する位置にＸ方向に沿って２本の平行な折り位置Ｓ３、Ｓ４が設定されている。
そして、ペット用吸収性シート１Ｃにおいては、上記した折り位置Ｓ１〜Ｓ４に沿って当該折り位置Ｓ１〜Ｓ４に重なるように、４本の帯状の接着部１０１Ｃ〜１０４Ｃが設けられている。
このため、ペット用吸収性シート１Ｃは、例えば、Ｘ方向に三つ折りした後、Ｙ方向にさらに三つ折りすることが可能である。
なお、このように折り位置Ｓ１〜Ｓ４が格子状であっても、接着部１０１Ｃ〜１０４Ｃにより折り位置Ｓ１〜Ｓ４にコシがでるため、ペット用吸収性シート１Ｃを折り曲げやすくすることができる。
また、表面シート１１と吸収体１３との間の空間は、接着部１０１Ｃ〜１０４Ｃにより９つに区画され、９つの非接着部２０１Ｃ〜２０９Ｃが形成される。
このように接着部１０１Ｃ〜１０４Ｃが格子状に設けられることで、接着剤の塗布された部分が増えるので、表面シート１１に凹凸が発生するのをより効果的に抑制でき、また、表面シート１１と吸収体１３との間の空間はＸＹ方向に区画されることとなるので、さらなる有効利用が可能となる。
【００３６】
なお、接着部１０１Ｃ〜１０４Ｃの幅が、例えば、２０ｍｍ程度に設定される場合、接着部１０１Ｃ〜１０４Ｃにおけるホットメルト型接着剤の塗布量は、例えば、１０．０ｇ／ｍ２程度が好ましい。
【００３７】
以上のように、変形例３のペット用吸収性シート１Ｃによれば、ＸＹ方向に沿った接着部１０１Ｃ〜１０４Ｃを備えることで、表面シート１１に凹凸が発生するのをより効果的に抑制でき、尿の飛び散りをより効果的に抑制することができると共に、表面シート１１と吸収体１３との間の空間はＸＹ方向に区画されることとなるので、さらなる有効利用が可能となるため、より吸収性能の高いペット用吸収性シートとすることができる。
【００３８】
なお、上記変形例３においては、４本の折り位置Ｓ１〜Ｓ４（４つの接着部１０１Ｃ〜１０４Ｃ）を備える構成を例示して説明したが、折り位置（接着部）の数はこれに限定されるものではなく、適宜設定可能であるのは勿論である。
また、４つの接着部１０１Ｃ〜１０４Ｃにおいて、ホットメルト型接着剤をスパイラル塗布することとしても良いし、ホットメルト型接着剤を折り位置Ｓ１〜Ｓ４の折り方向に沿って間欠した帯状に塗布することとしても良い。
【符号の説明】
【００３９】
１、１Ａ、１Ｂ、１Ｃ  ペット用吸収性シート
１１  表面シート
１１ａ  周縁部
１２  裏面シート
１２ａ  周縁部
１３  吸収体
Ｓ１、Ｓ２、Ｓ３、Ｓ４  折り位置
１０１、１０２  接着部
１０１Ａ、１０２Ａ  接着部
１０１Ｂ、１０２Ｂ  接着部
Ｒ１  塗布領域
Ｒ２  非塗布領域
１０１Ｃ−１０４Ｃ  接着部
２０１−２０３  非接着部
２０１Ａ−２０３Ａ  非接着部
２０１Ｂ−２０３Ｂ  非接着部
２０１Ｃ−２０９Ｃ  非接着部
【図１】
0005996884.tif 000002
【図２】
0005996884.tif 000003
【図３】
0005996884.tif 000004
【図４】
0005996884.tif 000005
【図５】
0005996884.tif 000006
【図６】
0005996884.tif 000007